(57)【要約】【課題】開口縁凝縮パイプ（３ｃ）から庫内への熱の流入を抑えるために、結露防止パイプに冷媒を選択的に流さない冷凍冷蔵庫において、更に流入する熱を抑制することを目的とする。【解決手段】冷凍冷蔵庫において、冷凍温度帯の貯蔵空間（Ｉ，Ｆ）と、冷蔵温度帯の貯蔵空間（Ｒ，Ｖ）と、開口の周囲に配設される開口縁凝縮パイプ（３ｃ）と、この開口縁凝縮パイプ（３ｃ）を介さずに冷媒を流すバイパス流路（７）と、この開口縁凝縮パイプ（３ｃ）とバイパス用流路（７）に流す冷媒を調節する流路制御手段（８）とを備える冷凍冷蔵庫において、開口縁凝縮パイプ（３ｃ）が内部に配され、上下に冷凍温度帯の貯蔵空間（Ｉ，Ｆ）が存在する仕切（１ｄ）に開口縁温度センサー（１０）を設けたことを特徴とする。【選択図】　　　　図２
2004092939.tif 000002
【特許請求の範囲】
【請求項１】
冷凍温度帯の貯蔵空間（Ｉ，Ｆ）と、冷蔵温度帯の貯蔵空間（Ｒ，Ｖ）と、開口の周囲に配設される開口縁凝縮パイプ（３ｃ）と、この開口縁凝縮パイプ（３ｃ）を介さずに冷媒を流すバイパス流路（７）と、この開口縁凝縮パイプ（３ｃ）とバイパス用流路（７）に流す冷媒を調節する流路制御手段（８）とを備える冷凍冷蔵庫において、
前記開口縁凝縮パイプ（３ｃ）が内部に配され、上下に冷凍温度帯の貯蔵空間（Ｉ，Ｆ）が存在する仕切（１ｄ）に開口縁温度センサー（１０）を設けたことを特徴とする冷凍冷蔵庫。
【請求項２】
前記仕切（１ｄ）は自動製氷室（Ｉ）と冷凍室（Ｆ）とを仕切ることを特徴とする請求項１に記載の冷凍冷蔵庫。
【発明の詳細な説明】
【０００１】
【発明の属する技術分野】
本発明は、冷蔵室と冷凍室を備える冷凍冷蔵庫に関する。特に、結露防止パイプ（開口縁凝縮パイプ）へ流入される冷媒量を制御できる冷凍冷蔵庫に関する。
【０００２】
【従来の技術】
従来、冷蔵庫では、結露防止パイプを冷蔵庫の開口縁に配置して加熱し、開口縁付近での結露を防止していた。この加熱により、結露防止が行われるが、この熱が庫内に流入して、冷蔵庫の冷却能力が劣化してしまう欠点があった。
【０００３】
このため、放熱パイプから庫内への熱の流入を抑えた冷蔵庫が、提案されている（特開平８−１８９７５３号公報、特開平１１−２１１３２５号公報）。この冷蔵庫では、結露防止パイプを介さずに冷媒を流すためのバイパス流路を設け、これを切り替えていた。この切り替えは、例えば、開口縁に設けた温度センサーからの検出温度に応じて行われている。
【０００４】
【発明が解決しようとする課題】
本発明は、このような冷蔵庫において、好適な開口縁温度センサーの配置を提案するものである。
【０００５】
【課題を解決するための手段】
本発明は、冷凍温度帯の貯蔵空間Ｉ，Ｆと、冷蔵温度帯の貯蔵空間Ｒ，Ｖと、開口の周囲に配設される開口縁凝縮パイプ３ｃと、この開口縁凝縮パイプ３ｃを介さずに冷媒を流すバイパス流路７と、この開口縁凝縮パイプ３ｃとバイパス用流路７に流す冷媒を調節する流路制御手段８とを備える冷凍冷蔵庫において、開口縁凝縮パイプ３ｃが内部に配され、上下に冷凍温度帯の貯蔵空間Ｉ，Ｆが存在する仕切１ｄに開口縁温度センサー１０を設けたことを特徴とする。
【０００６】
更に、本発明は、前記仕切１ｄは自動製氷室Ｉと冷凍室Ｆとを仕切ることを特徴とする。
【０００７】
【発明の実施の形態】
図１，図２を参照しつつ、本発明の一実施形態を説明する。
【０００８】
図１は冷凍冷蔵庫における結露防止パイプ（開口縁凝縮パイプ）の引き回し状態を示す図である。図２は、この冷凍冷蔵庫の回路図である。
【０００９】
図１において、１は冷凍冷蔵庫である。Ｒは冷蔵室（３℃〜５℃）である。Ｖは野菜室（２℃〜７℃）である。Ｉは自動製氷室（約マイナス１８℃）である。Ｓは温度切換室であり、貯蔵温度は冷凍温度帯から冷蔵温度帯まで（マイナス１８℃〜７℃）までの任意の温度に設定可能である。Ｆは冷凍室（約マイナス１８℃）である。
【００１０】
この冷蔵室Ｒは、回動式扉（図示省略）で閉じられ、その他の貯蔵室（Ｖ，Ｉ，Ｓ，Ｆ）は引出式扉（図示省略）で閉じられている。また、ドア開閉検出スイッチは、冷蔵室の回動式扉と自動製氷室の引出式扉と冷凍室の引出式扉とに対応して設けられている。そして、冷蔵室の開を検出し、庫内灯（図示省略）を点灯している。自動製氷室、冷凍室の開を検出し、庫内冷気循環ファン（図示省略）を一時停止している。更に、自動製氷室の開を検出し、自動製氷装置（図示省略）での脱氷動作を一時停止している。
【００１１】
３ｃは、結露防止パイプである。この結露防止パイプ３ｃは、その配設が一筆書きなるように冷蔵庫全体における開口の周囲および仕切（１ａ，１ｂ，１Ｃ，１ｄ）を引きまわされ、結露を防止している。
【００１２】
１０は仕切１ｄの温度を計測するための開口縁温度センサーである。
【００１３】
図２において、２は圧縮機であり、冷媒を高温高圧の圧縮ガスとして吐出する。３は凝縮器であり、圧縮ガスを冷却して液化させる。この実施形態では、凝縮器３は、冷蔵庫の後壁に埋め込まれて放熱する凝縮パイプ３ａと、冷蔵庫の両側壁に埋め込まれて放熱する凝縮パイプ３ｂと、開口縁に配置されて放熱する凝縮パイプ３ｃ（開口縁凝縮パイプ、結露防止パイプ）とから構成されている。
【００１４】
４は乾燥器である。５はキャピラリーチューブである。６は、冷却器（蒸発器）である。
【００１５】
７は、パイパスパイプである。８は三方弁であり、冷媒流路を開口縁凝縮パイプ３ｃ側とパイパスパイプ７側とに切り換える冷媒流路制御手段を形成している。
【００１６】
この冷凍冷蔵庫１は、圧縮機２、凝縮器３、キャピラリーチューブ５、冷却器６の順で冷媒を流し、冷却を行っている。
【００１７】
そして、冷却運転中において、開口縁温度センサー１０と外気温度センサー（図示省略）からの検出温度により、三方弁８を制御して、冷媒を開口縁凝縮パイプ３ｃ側に流す時間を設定している。この設定された時間だけ冷媒を開口縁凝縮パイプ３ｃ側に流し、その後は、パイパスパイプ７側に流し、開口縁が必要以上に加熱されることを防止している。
【００１８】
このようにこの実施形態では、冷凍温度帯の貯蔵空間である自動製氷室Ｉ、冷凍室Ｆと、冷蔵温度帯の貯蔵空間である冷蔵室Ｒ、野菜室Ｖと、開口の周囲に配設され結露を防止するための開口縁凝縮パイプ３ｃと、この開口縁凝縮パイプ３ｃを介さずに冷媒を流すバイパス流路を形成するバイパスパイプ７と、この開口縁凝縮パイプ３ｃとバイパスパイプ７に流す冷媒を調節する流路制御手段としての三方弁８を備える冷凍冷蔵庫１において、開口縁凝縮パイプ３ｃが内部に配され、上に自動製氷室Ｉ、下に冷凍室Ｆが存在する仕切１ｄに開口縁温度センサー１０を設けている。このため、外気温と気温差が生じ易い仕切における温度をモニター出来、結露を防止する精度が向上し、必要以上に開口縁凝縮パイプ３ｃから庫内に熱が流入することを防止できる。
【００１９】
なお、この実施形態では、開口縁温度センサー１０と外気温度センサーからの検出温度により、三方弁８を制御したが、外気の湿度を検出する湿度センサーを設けると、更に精度良く制御できる。
【００２０】
また、この実施形態では、自動製氷室Ｉと冷凍室Ｆとを仕切る仕切に開口縁温度センサー１０を設けたが、これは、冷凍温度帯の貯蔵空間の間であればよく、当然、冷凍室と冷凍室の間でも良い。
【００２１】
【発明の効果】
本発明によれば、冷凍温度帯の貯蔵空間Ｉ、Ｆと、冷蔵温度帯の貯蔵空間Ｒ、Ｖと、開口の周囲に配設され結露を防止するための開口縁凝縮パイプ３ｃと、この開口縁凝縮パイプ３ｃを介さずに冷媒を流すバイパス流路７と、開口縁凝縮パイプ３ｃとバイパスパイプ７に流す冷媒を調節する流路制御手段８を備える冷凍冷蔵庫１において、開口縁凝縮パイプ３ｃが内部に配され、上に自動製氷室Ｉ、下に冷凍室Ｆが存在する仕切１ｄに開口縁温度センサー１０を設けた。このため、外気温と気温差が生じ易い仕切における温度をモニター出来、結露を防止する精度が向上し、必要以上に開口縁凝縮パイプ３ｃから庫内に熱が流入することを防止できる。
【図面の簡単な説明】
【図１】本発明の実施形態である冷凍冷蔵庫における開口縁凝縮パイプの配置状態を示す図である。
【図２】この実施形態の冷凍回路図である。
【符号の説明】
Ｒ　　冷蔵室（冷蔵温度帯の貯蔵空間）、
Ｖ　　野菜室（冷蔵温度帯の貯蔵空間）、
Ｉ　　自動製氷室（冷凍温度帯の貯蔵空間）、
Ｆ　　冷凍室（冷凍温度帯の貯蔵空間）、
１ｄ　仕切、
２　　圧縮機、
３　　凝縮器、
３ｃ　開口縁凝縮パイプ、
７　　バイパスパイプ（バイパス流路）、
８　　三方弁（流路制御手段）、
１０　開口縁温度センサー。
【図１】
2004092939.tif 000003
【図２】
2004092939.tif 000004